(57)【要約】【課題】結露水が貯水タンクに貯められる前に、結露水の温度を上昇させて貯水タンク壁面の結露を抑制する除湿器を提供する。【解決手段】除湿機１０では、第１熱交換器３０１の上部（蒸発器３１）で生じた結露水は、その下部（凝縮器３７の一部）で温められた後に貯水タンク６０に貯まるので、結露水によって貯水タンク６０の壁面の温度が低下しても、貯水タンク６０の壁面がその周囲の露点温度以下になることが防止される。その結果、貯水タンク６０の壁面に結露する事態が回避される。【選択図】図５
2015013253.tif 000002
【特許請求の範囲】
【請求項１】
蒸気圧縮式冷凍サイクルを利用し、空気中に含まれる水分を結露させて除湿する除湿機であって、
同一風路に配置される蒸発器（３１）および放熱器（３７）と、
前記蒸発器（３１）で生じた前記結露水を貯める貯水タンク（６１）と、
を備え、
前記放熱器（３７）の一部が前記蒸発器（３１）の下方に配置されている、
除湿機（１０）。
【請求項２】
前記蒸発器（３１）及び前記放熱器（３７）は第１熱交換器（３０１）と第２熱交換器（３０２）とで構成されており、
前記第１熱交換器（３０１）の上部が前記蒸発器（３１）を成し、前記第１熱交換器（３０１）の下部及び前記第２熱交換器（３０２）が前記放熱器（３７）を成す、
請求項１に記載の除湿機（１０）。
【請求項３】
前記第１熱交換器（３０１）は、少なくとも冷媒が流れる伝熱管（３１３）を有し
前記第１熱交換器（３０１）の下部の前記伝熱管（３１３）内を流れる冷媒が過冷却液冷媒である、
請求項２に記載の除湿機（１０）。
【請求項４】
前記第１熱交換器（３０１）は、少なくとも冷媒が流れる伝熱管（３１３）を有し
前記第１熱交換器（３０１）では、過冷却液冷媒が流れる前記伝熱管（３１３）と、過熱ガス冷媒が流れる前記伝熱管（３１３）とが隣接する、
請求項２に記載の除湿機（１０）。
【請求項５】
前記第１熱交換器（３０１）および前記第２熱交換器（３０２）が、前記風路の上流から下流に向って順にならぶ、
請求項２に記載の除湿機（１０）。
【発明の詳細な説明】
【技術分野】
【０００１】
本発明は、除湿機、特に蒸気圧縮式冷凍サイクルを利用した除湿機に関する。
【背景技術】
【０００２】
蒸気圧縮式冷凍サイクルを利用する除湿機として、例えば、特許文献１（実開平５−７９３２５号公報）には、ファンによって発生する空気流れの中に蒸発器および凝縮器を蒸発器が凝縮器の上流側となるように並べて配置したものが開示されている。そして、蒸発器および凝縮器の下方には、断面が漏斗状のドレンパンが配置されている。
【０００３】
蒸発器を通過する空気流は、蒸発器内を流れる冷媒と熱交換することによって冷却され、空気流に含まれる水分が凝縮して蒸発器に付着する、いわゆる結露水が発生する。この結露水は、ドレンパン上に落下したのちドレンパンの下方に配置された貯水タンクに回収されていく。
【発明の概要】
【発明が解決しようとする課題】
【０００４】
しかしながら、特許文献１に開示されている除湿機では、蒸発器で生じた結露水が低温のまま貯水タンクに貯められるので、貯水タンクの壁面が冷却され、その壁面が結露する可能性がある。
【０００５】
本発明の課題は、結露水が貯水タンクに貯められる前に、結露水の温度を上昇させて貯水タンク壁面の結露を抑制する除湿器を提供することにある。
【課題を解決するための手段】
【０００６】
本発明の第１観点に係る除湿機は、蒸気圧縮式冷凍サイクルを利用し、空気中に含まれる水分を結露させて除湿する除湿機であって、蒸発器および放熱器と、貯水タンクとを備えている。蒸発器および放熱器は、同一風路に配置されている。貯水タンクは、蒸発器で生じた結露水を貯める。また、放熱器の一部が蒸発器の下方に配置されている。
【０００７】
この除湿機では、蒸発器から落下した結露水は、蒸発器の下方に配置されている放熱器の一部と接触して温度上昇した後に貯水タンクに貯まるので、結露水によって貯水タンクの壁面の温度が低下しても、その周囲の露点温度以下になることは防止される。その結果、貯水タンクの壁面に結露する事態が回避される。
【０００８】
本発明の第２観点に係る除湿機は、第１観点に係る除湿機であって、蒸発器および放熱器が、第１熱交換器と第２熱交換器とで構成されている。第１熱交換器の上部は蒸発器を成し、第１熱交換器の下部及び第２熱交換器が放熱器を成している。
【０００９】
この除湿機では、第１熱交換器の上部（蒸発器）で生じた結露水は、その下部（放熱器）で温められた後に貯水タンクに貯まるので、結露水によって貯水タンクの壁面の温度が低下しても、貯水タンクの壁面がその周囲の露点温度以下になることが防止される。その結果、貯水タンクの壁面に結露する事態が回避される。
【００１０】
本発明の第３観点に係る除湿機は、第２観点に係る除湿機であって、第１熱交換器が、少なくとも冷媒が流れる伝熱管を有している。そして、第１熱交換器の下部の伝熱管内を流れる冷媒が過冷却液冷媒である。
【００１１】
この除湿機では、結露水と放熱器の過冷却液冷媒との熱交換によって、結露水はその周囲の露点温度以上に温められる。
【００１２】
本発明の第４観点に係る除湿機は、第２観点に係る除湿機であって、第１熱交換器が少なくとも冷媒が流れる伝熱管を有している。そして、第１熱交換器では、過冷却液冷媒が流れる伝熱管と、過熱ガス冷媒が流れる伝熱管とが隣接している。
【００１３】
この除湿機では、結露水と放熱器の過冷却液冷媒との熱交換によって、結露水はその周囲の露点温度以上に温められ、且つ、過冷却液冷媒と過熱ガス冷媒との熱交換によって冷凍サイクルの効率も向上する。
【００１４】
本発明の第５観点に係る除湿機は、第２観点に係る除湿機であって、第１熱交換器および第２熱交換器が、風路の上流から下流に向って順に並んでいる。
【００１５】
この除湿機では、風路の上流側に位置する蒸発器で除湿冷却された空気が風路の下流側に位置する放熱器に向かって流れるので、放熱器を冷却することができ、冷凍サイクルの効率が向上する。
【発明の効果】
【００１６】
本発明の第１観点に係る除湿機では、蒸発器から落下した結露水は、蒸発器の下方に配置されている放熱器の一部と接触して温度上昇した後に貯水タンクに貯まるので、結露水によって貯水タンクの壁面の温度が低下しても、その周囲の露点温度以下になることは防止される。その結果、貯水タンクの壁面に結露する事態が回避される。
【００１７】
本発明の第２観点に係る除湿機では、第１熱交換器の上部（蒸発器）で生じた結露水は、その下部（放熱器）で温められた後に貯水タンクに貯まるので、結露水によって貯水タンクの壁面の温度が低下しても、貯水タンクの壁面がその周囲の露点温度以下になることが防止される。その結果、貯水タンクの壁面に結露する事態が回避される。
【００１８】
本発明の第３観点に係る除湿機では、結露水と放熱器の過冷却液冷媒との熱交換によって、結露水はその周囲の露点温度以上に温められる。
【００１９】
本発明の第４観点に係る除湿機では、結露水と放熱器の過冷却冷媒との熱交換によって、結露水はその周囲の露点温度以上に温められ、且つ、過冷却液冷媒と過熱ガス冷媒との熱交換によって冷凍サイクルの効率も向上する。
【００２０】
本発明の第５観点に係る除湿機では、風路の上流側に位置する蒸発器で除湿冷却された空気が風路の下流側に位置する放熱器に向かって流れるので、放熱器を冷却することができ、冷凍サイクルの効率が向上する。
【図面の簡単な説明】
【００２１】
【図１】本発明の一実施形態に係る除湿機の前面に向かって右上方から見たときの当該除湿機の外観斜視図。
【図２】図１の除湿機から貯水タンクを取り外したときの当該除湿機の外観斜視図。
【図３】除湿機の縦断面図。
【図４】除湿機内に構成されている冷凍装置の冷媒回路図。
【図５】図４に記載の冷凍装置の概略斜視図。
【図６】図４に記載の冷凍装置に使用される冷媒のｐ−ｈ線図上における状態変化図。
【図７】変形例に係る除湿機の冷凍装置の概略斜視図。
【発明を実施するための形態】
【００２２】
以下、図面を参照しながら、本発明の実施形態について説明する。なお、以下の実施形態は、本発明の具体例であって、本発明の技術的範囲を限定するものではない。
【００２３】
（１）除湿機１０の構成
（１−１）除湿機１０の外観構造
図１は、本発明の一実施形態に係る除湿機１０の前面に向かって右上方から見たときの当該除湿機１０の外観斜視図である。また、図２は、図１の除湿機１０から貯水タンク６０を取り外したときの当該除湿機１０の外観斜視図である。図１及び図２において、除湿機１０の外観構造は、本体ケーシング１１によって形成されている。
【００２４】
本体ケーシング１１は、吸込口１１１と、吹出口１１３と、操作部１１５、タンク挿入口１１７を有している。空気を内部に取り込むための吸込口１１１は、本体ケーシング１１の左右両側面の前方に設けられている。
【００２５】
本体ケーシング１１の天面は前半分が水平面、後半分が傾斜面となるように成形されており、操作部１１５がその水平面に設けられ、空気を外部に吹き出すための吹出口１１３がその傾斜面に設けられている。
【００２６】
操作部１１５には、電源Ｏｎ／ＯｆｆボタンＰＢ、除湿運転ボタンＤＢなど各種操作ボタンが設けられている。
【００２７】
タンク挿入口１１７は、本体ケーシング１１の側面下部に設けられており、貯水タンク６０はタンク挿入口１１７を介して本体ケーシング１１に着脱される。
【００２８】
（１−２）貯水タンク６０の構造
図２に示すように、貯水タンク６０は、容器６１、蓋６３、取っ手６５及び引き手６７から成る。容器６１は、本体ケーシング１１に挿入されるときの先頭となる一部分が船先のように細く成形されている。
【００２９】
また、本体ケーシング１１に挿入されたときに本体ケーシング１１の側面と同一面上に位置する後部壁に、引き手６７が設けられている。そして、容器６１の先頭部と後部壁との中間位置あたりに、取っ手６５の両端が回転自在に取り付けられている。
【００３０】
蓋６３は容器６１の開口を覆うように成形されており、図３に示すように、蓋６３の縁は容器６１の開口縁に嵌合して閉じるために、断面形状が逆Ｕ字状を成し、鉛直方向に突出している。
【００３１】
また、蓋６３には、入水口６３ａ及び排水扉６３ｂが設けられている。入水口６３ａは、蓋６３のほぼ中央に設けられている。入水口６３ａの周囲は、入水口６３ａに向って高さが徐々に低くなるように傾斜しており、蓋６３上に滴下した水はその傾斜により入水口６３ａに向って流れる。排水扉６３ｂは、容器６１の先頭部に対応する位置にヒンジ式で開閉可能に連結されている。
【００３２】
（１−３）除湿機１０の内部構造
図３は、除湿機１０の縦断面図である。図３において、除湿機１０は蒸気圧縮式冷凍サイクルを利用し、空気中に含まれる水分を結露させて除湿する。除湿機１０では、ファン４０によって吸込口１１１から空気が吸い込まれ吹出口１１３から吹き出されるまでの風路が形成される。ファン４０は、ファンモータ４１と、回転中心がファンモータ４１の回転軸と同軸上に固定されている羽根部４３とで構成されている。
【００３３】
風路の途中には、フィルタ２１、蒸発器３１及び凝縮器３７が風路の上流から下流に向って順に並んで配置されている。吸込口１１１から吸込まれた空気は、フィルタ２１で塵埃や臭い成分などが取り除かれた後、蒸発器３１で水分が除去され、凝縮器３７を通過し、ファン４０によって吹出口１１３から吹き出される。
【００３４】
（２）詳細構成
（２−１）除湿機１０の冷凍装置１００
図４は、除湿機１０内に構成されている冷凍装置１００の冷媒回路図である。また、図５は、図４に記載の冷凍装置１００の概略斜視図である。図４及び図５において、冷凍装置１００は、圧縮機１３、凝縮器３７、膨張弁１５、蒸発器３１、及びアキュムレータ１７を備えており、圧縮機１３、凝縮器３７、膨張弁１５、蒸発器３１、及びアキュムレータ１７の順に冷媒が流れる。
【００３５】
なお、冷媒としては、一般的な空調用冷媒である４１０Ａ冷媒などが採用されるが、それに限定されるものではなく、ＣＯ２を採用してもよい。但し、ＣＯ２のような、いわゆる超臨界冷媒は放熱によって超臨界域から飽和液へ変化するが、一般冷媒のような凝縮過程ではないので、超臨界冷媒を採用する場合は、凝縮器は放熱器として機能することとなる。
【００３６】
冷媒は蒸発器３１を流れる際に蒸発器３１の外側を通過する空気から熱を奪い蒸発するので、蒸発器３１の表面は露点温度以下に冷却され、そこを通過する空気中の水分が蒸発器３１の表面に結露する。この原理によって、除湿機１０が空気中から水分を除去して除湿することができる。
【００３７】
図５に示すように、蒸発器３１及び凝縮器３７は、第１熱交換器３０１と第２熱交換器３０２とで構成されている。第１熱交換器３０１と第２熱交換器３０２とは、共にフィン＆チューブ型の熱交換器であって、同一風路内に第１熱交換器３０１が第２熱交換器３０２の上流側となるように並んでいる。第１熱交換器３０１および第２熱交換器３０２において、第１熱交換器３０１の下部の一部分を除く大半が蒸発器３１を成し、第１熱交換器３０１の下部の一部分および第２熱交換器３０２が凝縮器３７を成している。
【００３８】
（２−１−１）圧縮機１３、膨張弁１５およびアキュムレータ１７
圧縮機１３は、ガス冷媒を吸入して圧縮する。圧縮機１３の吸込口手前には、アキュムレータ１７が配置されており、圧縮機１３に液冷媒が直に吸い込まれないようになっている。
【００３９】
膨張弁１５は、冷媒圧力や冷媒流量の調節を行うために、蒸発器３１と凝縮器３７との間に接続され、冷媒を膨張させる機能を有している。
【００４０】
（２−１−２）蒸発器３１
蒸発器３１は、第１熱交換器３０１の下部の一部分を除く大半を占める熱交換器であり、内部を流れる冷媒を蒸発させることによって空気を冷却する。第１熱交換器３０１は、フィン＆チューブ型の２列熱交換器であり、伝熱フィン３１１と伝熱管３１３とを備えている。伝熱フィン３１１は、薄いアルミニウム製の平板であり、一枚の伝熱フィン３１１には複数の貫通孔が形成されている。伝熱管３１３は、伝熱フィン３１１の貫通孔に挿入される直管３１３ａと、隣り合う直管３１３ａの端部同士を連結する第１Ｕ字管３１３ｂ及び第２Ｕ字管３１３ｃとから成る。
【００４１】
直管３１３ａは、伝熱フィン３１１の貫通孔に挿入された後、拡管機によって拡管加工され、伝熱フィン３１１と密着する。直管３１３ａと第１Ｕ字管３１３ｂとは一体に形成されており、第２Ｕ字管３１３ｃは、直管３１３ａが伝熱フィン３１１の貫通孔に挿入され拡管加工された後、溶接などによって直管３１３ａの端部に連結される。
【００４２】
蒸発器３１は第１熱交換器３０１の最下段を除く部分（具体的には図５に示す第１熱交換器３０１の２点鎖線より上部部分）を占めている。そして、第１熱交換器３０１の最上段の伝熱管３１３には、膨張弁１５によって減圧された低圧の冷媒が入り、最下段より１段上の伝熱管３１３に向って蛇行するように流れる。
【００４３】
（２−１−３）凝縮器３７
凝縮器３７は、図５に示すように、第１熱交換器３０１の下部の一部分と第２熱交換器３０２を占有する熱交換器であり、空気との熱交換によって内部を流れる冷媒を凝縮させる。第２熱交換器３０２は、フィン＆チューブ型の１列熱交換器であり、伝熱フィン３７１と伝熱管３７３とを備えている。伝熱フィン３７１は、薄いアルミニウム製の平板であり、一枚の伝熱フィン３７１には複数の貫通孔が形成されている。伝熱管３７３は、伝熱フィン３７１の貫通孔に挿入される直管３７３ａと、隣り合う直管３７３ａの端部同士を連結する第１Ｕ字管３７３ｂ及び第２Ｕ字管３７３ｃとから成る。
【００４４】
直管３７３ａは、伝熱フィン３７１の貫通孔に挿入された後、拡管機によって拡管加工され、伝熱フィン３７１と密着する。直管３７３ａと第１Ｕ字管３７３ｂとは一体に形成されており、第２Ｕ字管３７３ｃは、直管３７３ａが伝熱フィン３７１の貫通孔に挿入され拡管加工された後、溶接などによって直管３７３ａの端部に連結される。
【００４５】
図５に示すように、圧縮機１３から吐出された高温高圧のガス冷媒は、第２熱交換器３０２の最上段の伝熱管３７３に入り、最下段の伝熱管３７３に向って蛇行するように流れる。最下段の伝熱管３７３に到達した冷媒は、高温高圧の液冷媒に変化しており、そこから第１熱交換器３０１の最下段の２列の伝熱管３１３を流れた後、膨張弁１５に向う。
【００４６】
（２−２）ドレンパン５１
ドレンパン５１は、中央下部に設けられた排水口５１０と、排水口５１０から左右に離れた両端部から排水口５１０に向って下方に傾斜するＶ字状の流路５１ａを有している。
【００４７】
排水口５１０は、図３に示すように貯水タンク６０の蓋６３の上方に臨んでおり、流路５１ａ上に落下した結露水はその傾斜面に沿って降下し、排水口５１０を通って蓋６３上に落下する。
【００４８】
（３）除湿機１０の動作
（３−１）送風運転
除湿機１０が運転を停止しているとき、ユーザーがその操作部１１５の電源Ｏｎ／ＯｆｆボタンＰＢを押すことによって、ファン４０のファンモータ４１が駆動し、羽根部４３が回転する。
【００４９】
羽根部４３の回転によって、図３に示すように、吸込口１１１から空気が吸い込まれ、フィルタ２１、蒸発器３１及び凝縮器３７の順で流れていく空気流Ｆが発生する。空気流Ｆは羽根部４３の中心に吸い込まれたのち、遠心方向に吹き出され吹出口１１３から出て行く。
【００５０】
除湿機１０の製品出荷後の初期状態では、電源Ｏｎ／ＯｆｆボタンＰＢを押すだけでは、ファン４０が稼働するだけである送風運転が開始される。
【００５１】
（３−２）除湿運転
送風運転状態の除湿機１０に対し、ユーザーが操作部１１５の除湿運転ボタンＤＢを押すと、冷凍装置１００の圧縮機１３が起動し、圧縮機１３、凝縮器３７、膨張弁１５、蒸発器３１、及びアキュムレータ１７の順に冷媒が循環するようになる。
【００５２】
図４において、低圧の冷媒は、圧縮機１３に吸入され、高圧に圧縮された後に吐出される。圧縮機１３から吐出された高圧の冷媒は凝縮器３７に送られる。凝縮器３７に送られた高圧の冷媒は、そこで空気流Ｆと熱交換を行って凝縮する。凝縮器３７において凝縮した高圧の冷媒は、液冷媒となって膨張弁１５に送られて低圧に減圧される。
【００５３】
膨張弁１５で減圧された低圧の冷媒は蒸発器３１に入る。蒸発器３１に入った低圧の冷媒は、そこで空気流Ｆと熱交換を行って蒸発する。蒸発器３１において蒸発した低圧の冷媒は、アキュムレータ１７で気液分離された後、再び圧縮機１３に吸入される。
【００５４】
上記のように、冷凍装置１００が稼働することによって、冷媒は蒸発器３１の外側を通過する空気流から熱を奪い蒸発するという冷却作用を発揮するので、蒸発器３１の表面は露点温度以下に冷却され、そこを通過する空気中の水分が蒸発器３１の表面に結露することになる。
【００５５】
図６は、図４に記載の冷凍装置１００に使用される冷媒の圧力ｐ−エンタルピーｈ線図上における状態変化図である。図６において、冷凍装置１００では、ＳＣ領域とＳＨ領域とで熱交換させている。
【００５６】
具体的には、蒸発器３１及び凝縮器３７の説明の段で言及したように、第１熱交換器３０１の最下段の伝熱管３１３には第２熱交換器３０２で凝縮した高温高圧の液冷媒が流れ、第１熱交換器３０１の最下段の伝熱管３１３よりも一段上の伝熱管３１３には低温低圧のガス冷媒が流れている。その結果、いわゆる液ガス熱交換器に似た構成が形成され（図５参照）、ＳＣ領域とＳＨ領域とで熱交換が行なわれることになり、冷凍装置１００の冷凍サイクルの効率が向上する。
【００５７】
（３−３）結露水の収集
第１熱交換器３０１の蒸発器３１に結露した水（結露水）は、伝熱フィン３１１を伝って最下段の伝熱管３１３の方向に向かって降下していく。最下段の伝熱管３１３には、第２熱交換器３０２で凝縮した高温高圧の液冷媒が流れているので、最下段の伝熱管３１３および周辺の伝熱フィン３１１は、それより上方に位置する伝熱管３１３及び伝熱フィン３１１よりも温度が高くなっている。
【００５８】
結露水は、図５に示す第１熱交換器３０１の２点鎖線の高さまで降下してから第１熱交換器３０１の下端に至るまでの間に温度上昇する。つまり、結露水は、結露した時点では周囲空気の露点温度よりも低い温度になっているが、図５に示す第１熱交換器３０１の２点鎖線の高さまで降下し第１熱交換器３０１から離脱するまでの間には、周囲空気の露点温度よりも高い温度になっている。
【００５９】
第１熱交換器３０１の下端から離脱した結露水は、ドレンパン５１の流路５１ａ上に落下する。流路５１ａは、左右に離れた両端部から中央の排水口５１０に向って下方に傾斜しているので、結露水は流路５１ａ上のどこに落下しようとも排水口５１０に向かって流れていく。
【００６０】
図３に示すように、排水口５１０は貯水タンク６０の蓋６３の上方に臨んでいるので、結露水は排水口５１０を通って蓋６３上に落下する。蓋６３のほぼ中央には入水口６３ａが設けられており、入水口６３ａの周囲は入水口６３ａに向って高さが徐々に低くなるように傾斜しているので、蓋６３上に滴下した水はその傾斜により入水口６３ａに向って流れ、入水口６３ａから貯水タンク６０内に流入し貯められる。
【００６１】
貯水タンク６０に貯められる結露水は、図５に示す第１熱交換器３０１の２点鎖線の高さまで降下してから第１熱交換器３０１の下端に至るまでの間に温度上昇しているので、その温度は貯水タンク６０の周囲空気の露点温度より高くなっており、容器６１の壁面が結露水に冷却されて結露するという事態は防止される。
【００６２】
（４）特徴
（４−１）
除湿機１０では、第１熱交換器３０１の上部（蒸発器３１）で生じた結露水は、その下部（凝縮器３７の一部）で温められた後に貯水タンク６０に貯まるので、結露水によって貯水タンク６０の壁面の温度が低下しても、貯水タンク６０の壁面がその周囲の露点温度以下になることが防止される。その結果、貯水タンク６０の壁面に結露する事態が回避される。
【００６３】
（４−２）
つまり、結露水と凝縮器３７の過冷却液冷媒との熱交換によって、結露水がその周囲の露点温度以上に温められる、という原理である。
【００６４】
（４−３）
また、結露水と凝縮器３７の過冷却液冷媒との熱交換によって、結露水がその周囲の露点温度以上に温められるだけでなく、過冷却液冷媒と過熱ガス冷媒との熱交換によって冷凍サイクルの効率も向上する。
【００６５】
（４−４）
また、風路の上流側に位置する第１熱交換器３０１の上部（蒸発器３１）で除湿冷却された空気が風路の下流側に位置する第２熱交換器３０２（凝縮器３７）に向かって流れるので、凝縮器３７を冷却することができ、冷凍サイクルの効率が向上する。
【００６６】
（５）変形例
上記実施形態では、第１熱交換器に蒸発器の全体と、凝縮器の一部とを共存させているが、この構成に限定されるものではない。以下、他の構成について図面を参照しながら説明する。
【００６７】
図７は、変形例に係る除湿機１１０の冷凍装置２００の概略斜視図である。図７において、第１熱交換器４０１はフィン＆チューブ型の２列熱交換器である。第１熱交換器４０１の全部を蒸発器３１が占有し、内部を流れる冷媒を蒸発させることによって空気を冷却する。
【００６８】
第２熱交換器４０２はＬ字形状に成形されたフィン＆チューブ型の１列熱交換器である。ここで、熱交換器をＬ字形状に成形する方法としては、予め伝熱フィンをＬ字形状にせん断しておいてから伝熱管を挿入する方法と、直方体形状の熱交換器を先に製造しておいてからＬ字形状に曲げる方法のいずれかが適宜採用される。
【００６９】
第２熱交換器４０２では、その全部を凝縮器３７が占有し、空気との熱交換によって内部を流れる冷媒を凝縮させる。上記Ｌ字形状の水平部分の伝熱管には、上記Ｌ字形状の鉛直部分の伝熱管で凝縮した高温高圧の液冷媒が流れる。
【００７０】
他方、第１熱交換器４０１は、第２熱交換器４０２の上記Ｌ字形状の水平部分の上方に隣接して配置されている。したがって、第１熱交換器４０１の最下段の伝熱管と、第２熱交換器４０２の上記Ｌ字形状の水平部分の伝熱管との間で、いわゆる液ガス熱交換器に似た構成が形成され、ＳＣ領域とＳＨ領域とで熱交換することになり、冷凍装置２００の効率が向上する。
【００７１】
さらに、結露水は、第１熱交換器（蒸発器３１）に結露した時点では周囲空気の露点温度よりも低い温度になっているが、第１熱交換器４０１から離脱して第２熱交換器４０２のＬ字形状の水平部分に移り降下する間に、高温高圧の過冷却液冷媒と熱交換して周囲空気の露点温度よりも高い温度になっている。
【００７２】
したがって、貯水タンク６０内に流入し貯められた後も、その温度は貯水タンク６０の周囲空気の露点温度より高くなっており、容器６１の壁面が結露水に冷却されて結露するという事態は防止される。
【産業上の利用可能性】
【００７３】
本発明によれば、結露水による貯水タンク６０の結露が防止されるので、蒸気圧縮式冷凍サイクルを利用した除湿機に有用である。
【符号の説明】
【００７４】
１０  除湿機
３１  蒸発器
３７  凝縮器（放熱器）
６１  貯水タンク
３０１  第１熱交換器
３０２  第２熱交換器
３１３  伝熱管
【先行技術文献】
【特許文献】
【００７５】
【特許文献１】実開平５−７９３２５号公報
【図１】
2015013253.tif 000003
【図２】
2015013253.tif 000004
【図３】
2015013253.tif 000005
【図４】
2015013253.tif 000006
【図５】
2015013253.tif 000007
【図６】
2015013253.tif 000008
【図７】
2015013253.tif 000009